(57)【要約】【課題】養液栽培する植物の株元の湿気を抑えて植物を健康に育成することができ、また養液栽培する植物の生育環境を、低コストで植物の栽培に適した環境にすることも可能な養液栽培用パネルと養液栽培の気体供給システム及び養液栽培方法の提供を目的とする。【解決手段】培養液上に浮かべられる養液栽培用パネル１０を、プラスチック製の中空パネル１１に、上面と下面間を上下に貫通する筒状の植え付け部１５が複数設けられ、上面には中空の部分に通じる気体の供給又は排出用口４１と、植え付け部１５の周辺あるいは植え付け部１５間に気体の吹き出し又は吸引用孔２７が設けられたものとし、気体の供給又は排出用口４１に気体供給装置又は気体吸引装置を接続する。【選択図】図１
2019106937.tif 000002
【特許請求の範囲】
【請求項１】
培養液上に浮かべられる養液栽培用パネルにおいて、
上面と下面間が中空となったプラスチック製の中空パネルに、前記上面と前記下面間を上下に貫通する筒状の植え付け部が複数設けられ、
前記中空パネルの上面には、前記中空の部分に通じる気体の供給又は排出用口と、前記植え付け部の周辺あるいは前記植え付け部間に前記中空の部分と通じる気体の吹き出し又は吸引用孔が設けられていることを特徴とする養液栽培用パネル。
【請求項２】
前記中空パネルは、前記上面を構成する上側シートと、前記下面を構成する下側シートが周縁で接着シールされ、前記接着シールされる周縁で包囲される部分では前記下側シートが下方へ屈曲して内側の窪んだ凹部が設けられ、前記下側シートの凹部と前記上側シート間が前記中空とされた構成からなり、
前記植え付け部は、前記上側シートまたは前記下側シートの何れか一方のシートに形成された植え付け部用穴と、他方のシートから前記植え付け部用穴へ向けて突出形成された上下両端の開口した筒部とよりなり、前記植え付け部用穴の周縁と前記筒部の端部の開口周縁が接着シールされた構成からなることを特徴とする請求項１に記載の養液栽培用パネル。
【請求項３】
請求項１または２に記載の養液栽培用パネルと、
前記養液栽培用パネルを浮かべる培養液槽と、
前記培養液槽の培養液に浮かべた前記養液栽培用パネルの前記気体の供給又は排出用口と接続された気体供給装置と、
を備え、
前記気体の供給又は排出用口と接続された前記気体供給装置から気体を前記養液栽培用パネルの中空の部分に供給し、前記養液栽培用パネルの上面の前記気体の吹き出し又は吸引用孔から気体を上方へ吹き出させることを特徴とする養液栽培システム。
【請求項４】
請求項１または２に記載の養液栽培用パネルと、
前記養液栽培用パネルを浮かべる培養液槽と、
前記培養液槽の培養液に浮かべた前記養液栽培用パネルの前記気体の供給又は排出用口と接続された気体吸引装置と、
を備え、
前記気体の供給又は排出用口と接続された前記気体吸引装置により、前記養液栽培用パネルの中空の部分を介して前記養液栽培用パネルの上面の前記気体の吹き出し又は吸引用孔周辺の気体を吸引し、前記気体の供給又は排出用口から前記養液栽培用パネル外へ排出することを特徴とする養液栽培システム。
【請求項５】
請求項１または２に記載の養液栽培用パネルを、前記植え付け部に植物を植えた状態で培養液上に浮かべ、
気体を前記養液栽培用パネルの前記気体の供給又は排出用口から前記中空の部分に供給して前記気体の吹き出し又は吸引用孔から上方へ吹き出させ、前記植え付け部に植えられている植物に当てる、または植物間に供給することを特徴とする養液栽培方法。
【請求項６】
前記気体を空気または二酸化炭素とし、前記気体の吹き出し又は吸引用孔から吹き出した空気または二酸化炭素を、前記植え付け部に植えられている植物に当てる、または植物間に供給することを特徴とする請求項５に記載の養液栽培方法。
【請求項７】
前記気体を暖気または冷気とし、前記気体の吹き出し又は吸引用孔から吹き出した暖気または冷気を、前記植え付け部に植えられている植物に当てる、または植物間に供給することを特徴とする請求項５に記載の養液栽培方法。
【請求項８】
前記気体に植物用薬剤を含ませ、前記気体の吹き出し又は吸引用孔から吹き出した気体を、前記植え付け部に植えられている植物に当てる、または植物間に供給することを特徴とする請求項５から７の何れか一項に記載の養液栽培方法。
【請求項９】
請求項１または２に記載の養液栽培用パネルを、前記植え付け部に植物を植えた状態で培養液上に浮かべ、前記養液栽培用パネルの前記気体の供給又は排出用口から中空の部分を介して前記養液栽培用パネルの上面の前記気体の吹き出し又は吸引用孔周辺の気体を吸引し、前記気体の供給又は排出用口から前記養液栽培用パネル外へ排出することを特徴とする養液栽培方法。
【発明の詳細な説明】
【技術分野】
【０００１】
本発明は、培養液上に浮かべられる養液栽培用パネルと養液栽培システム及び養液栽培方法に関する。
【背景技術】
【０００２】
従来、植物が植えられた養液栽培用パネルを培養液に浮かべて植物を栽培する養液栽培が行われている。
養液栽培用パネルとしては、植え付け孔が複数形成された発泡スチロール板が一般的である。
【０００３】
また、コマツナ、ホウレンソウ、シュンギクなどの葉菜類の栽培では、株元の空気が滞って病気や害虫の温床になったりすることがある。
なお、露地栽培においては、葉菜類の株元の湿気対策として、小さい孔を形成したビニルホースのダクトを畝に沿って配置し、孔から空気を吹き出すことが行われているが、土壌表面からの湿気の供給により除湿効果は低い。
養液栽培用パネルを用いる養液栽培においてはダクトによっても除湿効果は期待できるが、その均一化が困難である。
【０００４】
また、植物の生育を良好にするためには、植物の栽培に適した雰囲気温度にすることが好ましいが、養液栽培装置が設置されている建物の全体を温調するのには費用が嵩む問題がある。
【先行技術文献】
【特許文献】
【０００５】
【特許文献１】特開２００７−２１５４８５号公報
【特許文献２】特開２００９−１７１９４４号公報
【発明の概要】
【発明が解決しようとする課題】
【０００６】
本発明は前記の点に鑑みなされたものであって、養液栽培する植物の株元の湿気を抑えて植物を健康に育成することができ、また養液栽培する植物の生育環境を、低コストで植物の栽培に適した環境にすることも可能な養液栽培用パネルと養液栽培システム及び養液栽培方法の提供を目的とする。
【課題を解決するための手段】
【０００７】
請求項１の発明は、培養液上に浮かべられる養液栽培用パネルにおいて、上面と下面間が中空となったプラスチック製の中空パネルに、前記上面と前記下面間を上下に貫通する筒状の植え付け部が複数設けられ、前記中空パネルの上面には、前記中空の部分に通じる気体の供給又は排出用口と、前記植え付け部の周辺あるいは前記植え付け部間に前記中空の部分と通じる気体の吹き出し又は吸引用孔が設けられていることを特徴とする。
【０００８】
請求項２の発明は、請求項１において、前記中空パネルは、前記上面を構成する上側シートと、前記下面を構成する下側シートが周縁で接着シールされ、前記接着シールされる周縁で包囲される部分では前記下側シートが下方へ屈曲して内側の窪んだ凹部が設けられ、前記下側シートの凹部と前記上側シート間が前記中空とされた構成からなり、前記植え付け部は、前記上側シートまたは前記下側シートの何れか一方のシートに形成された植え付け部用穴と、他方のシートから前記植え付け部用穴へ向けて突出形成された上下両端の開口した筒部とよりなり、前記植え付け部用穴の周縁と前記筒部の端部の開口周縁が接着シールされた構成からなることを特徴とする。
【０００９】
請求項３の発明は、請求項１または２に記載の養液栽培用パネルと、前記養液栽培用パネルを浮かべる培養液槽と、前記培養液槽の培養液に浮かべた前記養液栽培用パネルの前記気体の供給又は排出用口と接続された気体供給装置と、を備え、前記気体の供給又は排出用口と接続された前記気体供給装置から気体を前記養液栽培用パネルの中空の部分に供給し、前記養液栽培用パネルの上面の前記気体の吹き出し又は吸引用孔から気体を上方へ吹き出させることを特徴とする養液栽培システムに係る。
【００１０】
請求項４の発明は、請求項１または２に記載の養液栽培用パネルと、前記養液栽培用パネルを浮かべる培養液槽と、前記培養液槽の培養液に浮かべた前記養液栽培用パネルの前記気体の供給又は排出用口と接続された気体吸引装置と、を備え、前記気体の供給又は排出用口と接続された前記気体吸引装置により、前記養液栽培用パネルの中空の部分を介して前記養液栽培用パネルの上面の前記気体の吹き出し又は吸引用孔周辺の気体を吸引し、前記気体の供給又は排出用口から前記養液栽培用パネル外へ排出することを特徴とする養液栽培システムに係る。
【００１１】
請求項５の発明は、請求項１または２に記載の養液栽培用パネルを、前記植え付け部に植物を植えた状態で培養液上に浮かべ、気体を前記養液栽培用パネルの前記気体の供給又は排出用口から前記中空の部分に供給して前記気体の吹き出し又は吸引用孔から上方へ吹き出させ、前記植え付け部に植えられている植物に当てる、または植物間に供給することを特徴とする養液栽培方法に係る。
【００１２】
請求項６の発明は、請求項５において、前記気体を空気または二酸化炭素とし、前記気体の吹き出し又は吸引用孔から吹き出した空気または二酸化炭素を、前記植え付け部に植えられている植物に当てる、または植物間に供給することを特徴とする。
【００１３】
請求項７の発明は、請求項５において、前記気体を暖気または冷気とし、前記気体の吹き出し又は吸引用孔から吹き出した暖気または冷気を、前記植え付け部に植えられている植物に当てる、または植物間に供給することを特徴とする。
【００１４】
請求項８の発明は、請求項５から７の何れか一項において、前記気体に植物用薬剤を含ませ、前記気体の吹き出し又は吸引用孔から吹き出した気体を、前記植え付け部に植えられている植物に当てる、または植物間に供給することを特徴とする。
【００１５】
請求項９の発明は、請求項１または２に記載の養液栽培用パネルを、前記植え付け部に植物を植えた状態で培養液上に浮かべ、前記養液栽培用パネルの気体の供給又は排出用口から中空の部分を介して前記養液栽培用パネルの上面の前記気体の吹き出し又は吸引用孔周辺の気体を吸引し、前記気体の供給又は排出用口から前記養液栽培用パネル外へ排出することを特徴とする養液栽培方法に係る。
【発明の効果】
【００１６】
本発明の養液栽培用パネル、養液栽培システム及び養液栽培方法によれば、養液栽培用パネル内に気体を供給し、養液栽培用パネルの上面の気体の吹き出し又は吸引用孔から気体を上方へ吹き出させて養液栽培用パネルの植物植え付け部に植えられている植物に当てる、または植物間に供給することができ、植物の株元の過湿の害を防ぐことができる。
【００１７】
養液栽培用パネル内に供給する気体を二酸化炭素として、養液栽培用パネルの前記植え付け部に植えられている植物に当てる、または植物間に供給することにより、植物の光合成を促進させ、植物の生育を促進させることができる。
【００１８】
養液栽培用パネル内に供給する気体を暖気または冷気として、養液栽培用パネルの植物植え付け部に植えられている植物に当てる、または植物間に供給することにより、植物の周囲を植物の生育に適した温度環境にすることができ、建物の全体を温調するのと比べて低コストで済む。
【００１９】
養液栽培用パネル内に供給する気体に植物用薬剤を含ませ、養液栽培用パネルの植物植え付け部に植えられている植物に薬剤が含まれている気体を当てる、または植物間に供給することにより、効率良く植物に薬剤を散布することができる。
【００２０】
また、本発明の養液栽培用パネル、養液栽培システム及び養液栽培方法によれば、養液栽培用パネルの気体の供給又は排出用口から中空の部分を介して養液栽培用パネルの上面の気体の吹き出し又は吸引用孔周辺の気体を吸引し、気体の供給又は排出用口から養液栽培用パネル外へ排出することができ、植物の株元の滞った高湿度空気の換気を行うこともできる。
【図面の簡単な説明】
【００２１】
【図１】本発明の一実施形態に係る養液栽培用パネルを上側から見た斜視図である。
【図２】図１の養液栽培用パネルを下側から見た斜視図である。
【図３】図１の養液栽培用パネルの上側シートを下側から見た斜視図である。
【図４】図１の養液栽培用パネルの下側シートを上側から見た斜視図である。
【図５】図１の養液栽培用パネルの部分断面である。
【図６】図５の６−６断面図である。
【図７】気体供給用の養液栽培システムの概略図である。
【図８】養液栽培状態の養液栽培用パネルの断面図である。
【発明を実施するための形態】
【００２２】
本発明の一実施形態に係る養液栽培用パネルについて説明する。図１及び図２に示す本発明の一実施形態に係る養液栽培用パネル１０は、図７及び図８に示すように、培養液槽８１の培養液８３上に浮かべられて養液栽培に使用されるものである。養液栽培用パネル１０は、平面視形状が略四角形からなり、そのサイズは、培養液槽８１及び栽培する植物等によって決定されるものであり、例として９２０ｍｍ×６４０ｍｍ×３０ｍｍを示す。
【００２３】
養液栽培用パネル１０は、上面１２と下面１３間が中空となったプラスチック製の中空パネル１１に、上面１２と下面１３間を上下に貫通する筒状の植え付け部１５が複数設けられ、中空パネル１１の上面１２には、内部の中空の部分（図５及び図６において符号１７で示す部分）に通じる気体の供給又は排出用口４１と、内部の中空の部分（図５及び図６において符号１７で示す部分）と通じる気体の吹き出し又は吸引用孔２７が設けられている。なお、気体の供給又は排出用口４１は、気体の供給と排出の何れにも使用可能な口部であり、一方、気体の吹き出し又は吸引用孔２７は、気体の吹き出しと吸引の何れにも使用可能な孔である。
【００２４】
筒状の植え付け部１５の径は、植える植物の種類に応じて適宜のサイズにされる。例として３０ｍｍ〜５０ｍｍ程度を示す。気体の吹き出し又は吸引用孔２７は、植え付け部１５の周辺あるいは植え付け部１５間に設けられる。なお、気体の吹き出し又は吸引用孔２７の径は、適宜決定されるものであり、例として１ｍｍ〜５ｍｍ程度を示す。
【００２５】
中空パネル１１は、上面１２を構成する上側シート２１と下面１３を構成する下側シート３１が、周縁で接着シールされて内部が中空とされた構成からなる。
【００２６】
上側シート２１は、平面視形状が略四角形からなり、図３、図５及び図６に示すように、下側シート３１と接着される周縁２２で包囲される部分に、前記筒状の植え付け部１５の筒部２４が所定間隔で下向きに複数形成されている。筒部２４は、後述する下側シート３１の植え付け部用穴３５へ向けて突出形成されている。また、筒部２４は、上下両端が開口した筒状からなり、前記上面１２で開口している。筒部２４の下端の開口２５は、環状シール部２６で包囲された形状となっている。
【００２７】
上側シート２１には、筒部２４の周縁または筒部２４間に、前記気体の吹き出し又は吸引用孔２７が形成されている。
また、上側シート２１には、前記気体の供給又は排出用口４１が設けられている。気体の供給又は排出用口４１は、図示の例では上側シート２１に挿通された筒状体からなり、筒状体の下端が上側シート２１と下側シート３１の間の中空部分に位置する。上側シート２１における気体の供給又は排出用口４１の位置は、特に限定されず、適宜の位置に設けられる。
【００２８】
下側シート３１は、平面視形状が略四角形からなり、上側シート２１の周縁と接着シールされる周縁３２で包囲される部分が下方へ屈曲して内側の窪んだ凹部３３が形成され、前記凹部３３と上側シート２１間が中空パネル１１の中空の部分１７を構成する。下側シート３１の凹部３３には、植え付け部用穴３５が、前記植え付け部１５の位置に合わせて所定間隔で複数形成されている。凹部３３の内面（上側シート２１と対向する面）における植え付け部用穴３５の周縁に、上側シート２１の筒部２４の下端における環状シール部２６が接着され、植え付け部用穴３５と筒部２４間がシールされる。
【００２９】
上側シート２１と下側シート３１は、プラスチックシートから真空成形及び打ち抜き等で前記の形状に賦形されたものである。プラスチックシートとしては、真空成形可能な材質であれば限定されないが、特にポリプロピレンシートが好ましい。また、プラスチックシートは、長期使用による劣化を抑えるための紫外線吸収剤と、細菌の増殖を抑えるための抗菌剤を含むものが好ましい。プラスチックシートの厚みは、例として２〜４ｍｍ程度を示す。
【００３０】
上側シート２１の色は、白色が好ましい。上側シート２１を白色とすることにより、養液栽培用パネル１０の上面側で反射光を増大させ、増大した反射光が植物に当たることによって植物の成長性を高めることができる。
一方、下側シート３１の色は、黒色が好ましい。下側シート３１を黒色とすることにより、外光が養液栽培用パネル１０を透過して培養液に当たるのを抑え、根の成長すなわち植物の生長性を高めることができると共に、培養液に藻が発生するのを抑えることができる。
【００３１】
前記養液栽培用パネル１０を用いる気体供給用の養液栽培システムについて、図７を用いて説明する。
気体供給用の養液栽培システムは、養液栽培用パネル１０と、養液栽培用パネル１０を浮かべる培養液槽８１と、培養液槽８１の培養液８３に浮かべた養液栽培用パネル１０の気体の供給又は排出用口４１と接続される気体供給装置８５とで構成される。この場合、気体の供給又は排出用口４１は、気体供給用口として機能し、また、気体の吹き出し又は吸引用孔２７は、気体の吹き出し用孔として機能する。なお、符号８７は、養液栽培用パネル１０の気体の供給又は排出用口４１と気体供給装置８５間の配管であり、金属やプラスチック製のパイプやチューブ等で構成される。また、気体供給装置８５は、コンプレッサ-等で構成される。さらに、配管８５の途中には、植物用薬剤の投入口を設けてもよい。また、気体供給装置８５は、暖気、冷気あるいは二酸化炭素（ＣＯ２）、を供給できるものとすることもできる。
【００３２】
気体供給用の養液栽培システムでは、気体供給装置８５により、気体を養液栽培用パネル１０の気体の供給又は排出用口４１から養液栽培用パネル１０の中空の部分に供給し、養液栽培用パネル１０の上面１２の気体の吹き出し又は吸引用孔２７から気体を養液栽培用パネル１０の上方へ吹き出させ、養液栽培用パネル１０の植え付け部１５に植えられている植物に当てる、あるいは植物間に供給する。
【００３３】
養液栽培用パネル１０は、下側シート３１の凹部３３により上側シート２１と下側シート３１間が中空になっているため、培養液６１に浮かぶことができる。また、上側シート２１の周縁２２と下側シート３１の周縁３２、及び上側シート２１の筒部２４の下端の開口２５の周縁と下側シート３１の植え付け部用穴３５の周縁が接着シールされているため、培養液６１が養液栽培用パネル１０内に侵入することがなく、養液栽培用パネル１０が沈む恐れがない。
【００３４】
養液栽培用パネル１０を用いる養液栽培方法について説明する。植物の種子または生育途中の植物を、スポンジなどの保持材と共に、養液栽培用パネル１０の植え付け部１５に植え、その養液栽培用パネル１０を、図７に示したような培養液槽８１の培養液８３に浮かべ、養液栽培用パネル１０の気体の供給又は排出用口４１に気体供給装置８５を接続する。
【００３５】
養液栽培用パネル１０の植え付け部１５に植えられた植物の種または植物は、培養液８３と接触して成長する。そして図８に示すように、植え付け部１５に植えられた植物９１の生育期間中に、気体供給装置８５によって気体を養液栽培用パネル１０の気体の供給又は排出用口４１から養液栽培用パネル１０内の中空の部分１７に供給し、中空の部分１７と通じている気体の吹き出し又は吸引用孔２７から養液栽培用パネル１０の上方へ吹き出させ、植物９１に当て、または植物９１間に供給する。符号９３は気体の吹き出し又は吸引用孔２７から吹き出す気体を示す。気体の吹き出し又は吸引用孔２７から吹き出された気体９３が植物９１に当たる、または植物９１間に供給されることにより、植物９１の株元における過湿の害を防ぐことができる。
【００３６】
養液栽培用パネル１０に供給する気体は、常温の空気に限られず、暖気や冷気の他に二酸化炭素（ＣＯ２）としたり、農薬（燻煙剤の場合を含む）などの植物用薬剤を含んだものでもよく、植物の生育環境に求められる気体とすることができる。暖気または冷気を養液栽培用パネル１０に供給して養液栽培用パネル１０の気体の吹き出し又は吸引用孔２７から上方へ吹き出させることにより、植物の周囲を植物の生育に適した温度環境にすることができ、建物の全体を温調するのと比べて低コストで済む。また、二酸化炭素を養液栽培用パネル１０に供給して養液栽培用パネル１０の気体の吹き出し又は吸引用孔２７から上方へ吹き出させることにより、養液栽培用パネルの植え付け部に植えられている植物の光合成を促進させ、植物の生育を促進させることができる。また、植物用薬剤を含む気体を養液栽培用パネル１０に供給して養液栽培用パネル１０の気体の吹き出し又は吸引用孔２７から上方へ吹き出させ、養液栽培用パネル１０の植物植え付け部１５に植えられている植物に当てたり、植物間に供給することにより、効率良く植物に薬剤を散布することができる。
【００３７】
一方、気体吸引用の栽培システム及び気体の吸引を行う養液栽培方法は、図７の気体供給装置８５を吸引ポンプなどの気体吸引装置に変更することにより可能である。この場合、気体の供給又は排出用口４１は気体排出用口として機能し、また気体の吹き出し又は吸引用孔２７は気体吸引用孔として機能する。そして、気体吸引装置によって、養液栽培用パネル１０の気体の供給又は排出用口４１から養液栽培用パネル内１０の中空の部分を介して養液栽培用パネルの上面の気体の吹き出し又は吸引用孔２７周辺の気体を吸引し、気体の供給又は排出用口４１から養液栽培用パネル１０外へ排出する。この気体吸引用の栽培システム及び、気体の吸引を行う養液栽培方法では、植物の株元の滞った高湿度空気の換気を行うことができ、生育環境を良好なものにできる。
【００３８】
なお、前記の実施形態では、上側シート２１に植え付け部の筒部２４を下向きに設け、下側シート３１には植え付け部用穴３５を設けたが、逆に上側シート２１に植え付け部用穴を設け、下側シート３１には植え付け部の筒部を上向きに設けてもよい。
【００３９】
このように、本発明の養液栽培用パネル、養液栽培の気体供給システム及び養液栽培方法によれば、養液栽培用パネル内に気体を供給し、養液栽培用パネルの上面の気体の吹き出し又は吸引用孔から気体を上方へ吹き出させて養液栽培用パネルの植物植え付け部に植えられている植物に当てたり、植物間に供給することができ、植物の株元の過湿の害を防いだり、植物の周囲を植物の生育に適した温度環境にしたり、光合成を促進させたり、効率良く植物に薬剤を散布したりすることができ、しかも低コストで実現することができる。
【００４０】
さらに、本発明の養液栽培用パネル、養液栽培システム及び養液栽培方法によれば、養液栽培用パネルの気体の供給又は排出用口から中空の部分を介して養液栽培用パネルの上面の気体の吹き出し又は吸引用孔周辺の気体を吸引し、気体の供給又は排出用口から養液栽培用パネル外へ排出することができ、植物の株元の滞った高湿度空気の換気を行うこともできる。
【符号の説明】
【００４１】
１０  養液栽培用パネル
１１  中空パネル
１２  上面
１３  下面
１５  植え付け部
１７  中空の部分
２１  上側シート
２２  上側シートの周縁
２４  筒部
２５  筒部の下端の開口
２６  環状シール部
２７  気体の吹き出し又は吸引用孔
３１  下側シート
３２  下側シートの周縁
３３  凹部
３５  植え付け部用穴
４１  気体の供給又は排出用口
８１  培養液槽
８３  培養液
８５  気体供給装置
９１  植物
９３  気体
【図１】
2019106937.tif 000003
【図２】
2019106937.tif 000004
【図３】
2019106937.tif 000005
【図４】
2019106937.tif 000006
【図５】
2019106937.tif 000007
【図６】
2019106937.tif 000008
【図７】
2019106937.tif 000009
【図８】
2019106937.tif 000010